(57)【特許請求の範囲】
【請求項１】
室外機及び室内機が冷媒配管にて接続されて一つの冷媒系統が構成され、複数の上記冷媒系統における上記室外機及び上記室内機の送受信回路が通信線にて接続されて、同一の通信回線が構成される空気調和システムにおいて、
前記通信線は、前記室外機と自己の室内機とを接続する第１の配線と、この第１の配線から分岐して他の室外機に接続される第２の配線とで構成され、
前記第２の配線上に、それぞれの室外機間の通信を通電又は遮断可能な運転用スイッチを備えると共に、
前記第１の通信配線上であって、前記第２の配線が分岐する分岐点と前記室外機の送受信回路との間に、自己の室外機及び室内機間の通信を通電又は遮断可能な検査用スイッチを備えたことを特徴とする空気調和システム。
【請求項２】
前記室外機のそれぞれが前記送受信回路を制御するＣＰＵを備え、このＣＰＵが前記運転用スイッチ及び前記検査用スイッチの通電又は遮断を制御すると共に、前記検査用スイッチを遮断して前記送受信回路単体の異常の有無を判断することを特徴とする請求項１に記載の空気調和システム。
【発明の詳細な説明】
【０００１】
【発明の属する技術分野】
本発明は、複数の冷媒系統の室外機及び室内機が通信線にて接続されて、同一の通信回線を構成する空気調和システムに関する。
【０００２】
【従来の技術】
ビル等の空気調和システムにおいては、室外機及び室内機が冷媒配管にて接続されて一つの冷媒系統が構成され、複数の冷媒系統の室外機及び室内機が通信線にて接続されて同一の通信回線が構成され、これら複数の室外機及び室内機が上記通信回線を用いて集中制御されるものがある。
【０００３】
【発明が解決しようとする課題】
このような空気調和システムでは、通信回線を構成する一台の室外機または室内機の送受信回路に故障等が発生して通信回線が異常となった場合、この通信回線上の全ての室外機及び室内機がその影響を蒙り、運転が不可能となる事態が生ずる。
【０００４】
また、この場合、全ての室外機及び室内機を１台づつチェックして、送受信回路が不具合な室外機、室内機を特定しなければならず、この特定作業も繁雑となってしまう。
【０００５】
本発明の目的は、上述の事情を考慮してなされたものであり、複数の冷媒系統の室外機及び室内機から成る同一の通信回線に異常が発生した場合に、不具合な室外機、室内機を迅速に発見できる空気調和システムを提供することにある。
【０００６】
また、本発明の他の目的は、複数の冷媒系統の室外機及び室内機から成る同一の通信回線に異常が発生した場合にも、正常な室外機、室内機の運転を継続できる空気調和システムを提供することにある。
【０００７】
【課題を解決するための手段】
請求項１に記載の発明は、室外機及び室内機が冷媒配管にて接続されて一つの冷媒系統が構成され、複数の上記冷媒系統における上記室外機及び上記室内機の送受信回路が通信線にて接続されて、同一の通信回線が構成される空気調和システムにおいて、前記通信線は、前記室外機と自己の室内機とを接続する第１の配線と、この第１の配線から分岐して他の室外機に接続される第２の配線とで構成され、前記第２の配線上に、それぞれの室外機間の通信を通電又は遮断可能な運転用スイッチを備えると共に、前記第１の通信配線上であって、前記第２の配線が分岐する分岐点と前記室外機の送受信回路との間に、自己の室外機及び室内機間の通信を通電又は遮断可能な検査用スイッチを備えたことを特徴とするものである。
【０００８】
請求項２に記載の発明は、請求項１に記載の発明において、前記室外機のそれぞれが前記送受信回路を制御するＣＰＵを備え、このＣＰＵが前記運転用スイッチ及び前記検査用スイッチの通電又は遮断を制御すると共に、前記検査用スイッチを遮断して前記送受信回路単体の異常の有無を判断することを特徴とするものである。
【００１０】
請求項１及び２に記載の発明には、次の作用がある。
【００１１】
室外機及び室内機の制御装置は、通信回線に異常が発生した場合に、自己の室外機及び室内機の送受信回路を通信線から切断して、この送受信回路における異常の有無をチェックし得るよう構成されたことから、通信回線上における室外機、室内機の不具合な送受信回路を迅速に発見できる。
【００１２】
請求項３に記載の発明には、次の作用がある。
【００１３】
室外機の制御装置が、自己の室外機の送受信回路と、他の冷媒系統における室外機の送受信回路との通信を切断可能な運転用スイッチを備えたことから、通信回線に異常が発生した際に、運転用スイッチを操作して、自己の室外機の送受信回路と、他の冷媒系統における室外機の送受信回路との通信を切断させる。このとき、通信が正常に戻った場合には、切断された他の冷媒系統側に通信異常が存在していると判断できるので、正常な自己の冷媒系統の通信を継続して、この自己の冷媒系統を継続して運転させることができる。
【００１４】
【発明の実施の形態】
以下、本発明の実施の形態を、図面に基づき説明する。
【００１５】
図１は、本発明に係る空気調和システムの一実施の形態を示す系統図である。
【００１６】
この図１に示す空気調和システム１０は、１台の室外機１３と３台の室内機１４とが、図示しない冷媒配管にて接続された第１冷媒系統１１と、１台の室外機１３と２台の室内機１４とが、同じく図示しない冷媒配管で接続された第２冷媒系統１２とを有して構成されている。
【００１７】
更に、これら第１冷媒系統１１と第２冷媒系統１２のそれぞれの室外機１３及び室内機１４は、配線コストの低減を図るために、第１通信線１５Ａ、第２通信線１５Ｂ及び第３通信線１５Ｃにより接続されて、同一の通信回線１５を構成する。つまり、上記第１通信線１５Ａは、第１冷媒系統１１の室外機１３及び室内機１４を接続する。第２通信線１５Ｂは、第２冷媒系統１２の室外機１３及び室内機１４を接続し、第３通信線１５Ｃは、第１冷媒系統１１の室外機１３と第２冷媒系統１２の室外機１３を接続する。
【００１８】
この通信回線１５を用いて、上述の第１冷媒系統１１と第２冷媒系統１２における複数台の室外機１３及び室内機１４が集中制御される。なお、第１冷媒系統１１及び第２冷媒系統１２の室内機１４は、例えば同一のリモートコントローラ１６によって運転状態が制御可能に構成されている。
【００１９】
図２に示すように、第１冷媒系統１１、第２冷媒系統１２の各室外機１３における制御装置１７は、制御基板１８にＣＰＵ１９（中央処理演算装置）、送受信回路２０及びＲＯＭ２８（記憶装置）を有してなる。更に、上記制御基板１８には、送受信回路２０とコネクタ２１とを接続する基板配線２２と、この基板配線２２とコネクタ２３とを接続する基板配線２４とがそれぞれ形成されている。
【００２０】
第１冷媒系統１１における室外機１３のコネクタ２１は、端子板２５及び第１通信線１５Ａを介して、この第１冷媒系統１１の室内機１４に接続されている。また、第２冷媒系統１２における室外機１３のコネクタ２１は、端子板２５及び第２通信線１５Ｂを介して、この第２冷媒系統１２の室内機１４に接続されている。また、第１冷媒系統１１における室外機１３のコネクタ２３と、第２冷媒系統１２における室外機１３のコネクタ２３とは、端子板２６及び第３通信線１５Ｃを介して相互に接続されている。
【００２１】
また、第１冷媒系統１１、第２冷媒系統１２の各室外機１３における制御基板１８には、基板配線２４を通電または遮断可能な運転用スイッチ２７と、基板配線２２を通電または遮断可能な検査用スイッチ２９とが設置されている。この検査用スイッチ２９は、基板配線２２において、基板配線２４の基板配線２２への接続点Ｐよりも送受信回路２０側に配置される。これらの運転用スイッチ２７及び検査用スイッチ２９は、送受信回路２０と共に、ＣＰＵ１９により制御される。
【００２２】
上記運転用スイッチ２７は、第１冷媒系統１１または第２冷媒系統１２のうちの一方の冷媒系統における室外機１３の送受信回路２０と、他方の冷媒系統における室外機１３の送受信回路２０との、端子板２６及び第３通信線１５Ｃ等を介しての通信を切断可能とするものである。
【００２３】
つまり、検査用スイッチ２９が後述の如くＯＮ操作されている状態下で、運転用スイッチ２７がＯＮ操作されると、基板配線２４が通電状態となり、第１冷媒系統１１の室外機１３における制御装置１７の送受信回路２０と、第２冷媒系統１２の室外機１３における制御装置１７の送受信回路２０との、第３通信線１５Ｃ等を介しての通信が確保される。また、同様に検査用スイッチ２９がＯＮ操作されている状態下で、運転用スイッチ２７がＯＦＦ操作されると、基板配線２４が遮断状態となり、第１冷媒系統１１の室外機１３における制御装置１７の送受信回路２０と、第２冷媒系統１２の室外機１３における制御装置１７の送受信回路２０との、第３通信線１５Ｃ等を介しての通信が切断される。
【００２４】
前記検査用スイッチ２９は、第１冷媒系統１１または第２冷媒系統１２のうちの一方の冷媒系統における室外機１３の送受信回路２０と、他方の冷媒系統における室外機１３の送受信回路２０に端子板２６等を経て接続された第３通信線１５Ｃとの通信を切断可能とするものである。更に、この検査用スイッチ２９は、第１冷媒系統１１または第２冷媒系統１２のうちの一方の冷媒系統における室外機１３の送受信回路２０と、同一冷媒系統における室内機１４の送受信回路２０に端子板２５等を介して接続された第１通信線１５Ａまたは第２通信線１５Ｂとの通信を切断可能とするものである。
【００２５】
つまり、検査用スイッチ２９のＯＮ操作時には、基板配線２２が通電状態とされて、第１冷媒系統１１または第２冷媒系統１２の室外機１３における制御装置１７の送受信回路２０と、当該第１冷媒系統１１または第２冷媒系統１２の室内機１４における制御装置３０（後述）の送受信回路２０との、第１通信線１５Ａまたは第２通信線１５Ｂを介しての通信が確保され、更に、運転用スイッチ２７がＯＮ操作されている状態下で、第１冷媒系統１１の室外機１３における制御装置１７の送受信回路２０と、第２冷媒系統１２の室外機１３における制御装置１７の送受信回路２０との、第３通信線１５Ｃを介しての通信が確保される。
【００２６】
また、検査用スイッチ２９のＯＦＦ操作時には、基板配線２２が遮断状態とされて、第１冷媒系統１１または第２冷媒系統１２の室外機１３における制御装置１７の送受信回路２０と、当該第１冷媒系統１１または第２冷媒系統１２の室内機１４における制御装置３０の送受信回路３３との、第１通信線１５Ａまたは第２通信線１５Ｂを介しての通信が遮断され、更に、運転用スイッチ２７のＯＮ、ＯＦＦ操作に拘わらず、第１冷媒系統１１の室外機１３における制御装置１７の送受信回路２０と、第２冷媒系統１２の室外機１３における制御装置１７の送受信回路２０との、第３通信線１５Ｃを介しての通信が切断される。
【００２７】
第１冷媒系統１１及び第２冷媒系統１２の室外機１３における制御装置１７のＣＰＵ１９は、運転用スイッチ２７、検査用スイッチ２９及び送受信回路２０を制御する。つまり、室外機１３のＣＰＵ１９は、通信回線１５の通信異常発生時に、まず運転用スイッチ２７をＯＦＦ操作し、送受信回路２０を動作させて通信回線１５の通信異常を検討し、自冷媒系統（第１冷媒系統１１または第２冷媒系統１２）の運転を下記の如く適宜実行する。次に、この室外機１３の制御装置１７のＣＰＵ１９は、この通信回線１５の通信異常発生時に検査用スイッチ２９をＯＦＦ操作して、自己の室外機１３の送受信回路２０の良否を判定する。
【００２８】
通信回線１５の通信異常発生時に、室外機１３の制御装置１７のＣＰＵ１９が実行する上述の動作手順を、図４を用いて詳説する。
【００２９】
室外機１３の上記ＣＰＵ１９は、通信回線１５に発生した通信異常を検出した時に、制御装置１７に内蔵の図示しない回線異常タイマを動作させる（Ｓ１）。
【００３０】
室外機１３の上記ＣＰＵ１９は、回線異常タイマが一定時間を経過したか否かを判断し（Ｓ２）、経過した時点で、室外機１３の制御装置１７における運転用スイッチ２７をＯＦＦ操作する（Ｓ３）。これにより、第１冷媒系統１１と第２冷媒系統１２におけるそれぞれの室外機１３の送受信回路２０同士が、第３通信線１５Ｃ等を介して実施する通信が切断される。
【００３１】
なお、室外機１３の上記ＣＰＵ１９は、ステップＳ１において通信回線１５に通信異常が検出されず、通信回線１５の通信が正常であると判断した段階で、上記回線異常タイマをクリアし、そのカウントを零に設定する（Ｓ４）。
【００３２】
室外機１３の上記ＣＰＵ１９は、ステップＳ３を実行した後に、通信回線１５が正常に戻ったか否かを判断する（Ｓ５）。
【００３３】
室外機１３の上記ＣＰＵ１９は、ステップＳ５において、通信回線１５の異常時に自冷媒系統（第１冷媒系統１１または第２冷媒系統１２）による単独動作が可能な設定になっているか否かを判断する（Ｓ６）。
【００３４】
室外機１３の上記ＣＰＵ１９は、上記ステップＳ６において、単独動作可能な設定なっている場合には、自冷媒系統（第１冷媒系統１１または第２冷媒系統１２）による通信を、第１通信線１５Ａまたは第２通信線１５Ｂ等を用いて実行して、この自冷媒系統の室外機１３及び室内機１４の通信を継続させ、この自冷媒系統（第１冷媒系統１１または第２冷媒系統１２）の室外機１３及び室内機１４を運転させる（Ｓ７）。
【００３５】
室外機１３の上記ＣＰＵ１９は、上記ステップＳ６において、単独動作可能な設定なっていない場合には、自冷媒系統（第１冷媒系統１１または第２冷媒系統１２）の室外機１３及び室内機１４の通信を継続してこの室外機１３及び室内機１４を運転させつつ、定期的に運転用スイッチ２７をＯＮ操作させて、他冷媒系統（第２冷媒系統１２または第１冷媒系統１１）の室外機１３との通信を実行させ（Ｓ８）、通信回線１５の通信異常を判断する（Ｓ１）。
【００３６】
室外機１３の上記ＣＰＵ１９は、ステップＳ５において、通信回線１５の通信異常が継続された場合には、検査用スイッチ２９をＯＦＦ操作して、自冷媒系統（第１冷媒系統１１または第２冷媒系統１２）の室内機１４との第１通信線１５Ａ、第２通信線１５Ｂを介しての通信、並びに他冷媒系統（第２冷媒系統１２または第１冷媒系統１１）の室外機１３との第３通信線１５Ｃを介しての通信を切断する（Ｓ９）。
【００３７】
室外機１３の上記ＣＰＵ１９は、ステップＳ９を実行した後に、自己の室外機１３の送受信回路２０を動作させて検査し（Ｓ１０）、この送受信回路２０が正常であるか否かを判断する（Ｓ１１）。
【００３８】
室外機１３の上記ＣＰＵ１９は、自己の室外機１３の送受信回路２０が異常であると判断した場合に、自己の室外機１３の送受信回路２０が異常である旨の警報を表示する（Ｓ１２）。
【００３９】
室外機１３の上記ＣＰＵ１９は、自己の室外機１３の送受信回路２０が正常であると判断した場合に、検査用スイッチ２９をＯＮ操作して、自己の冷媒系統（第１冷媒系統１１または第２冷媒系統１２）の室内機１４との通信を回復し（Ｓ１３）、運転用スイッチ２７をＯＮ操作して、他の冷媒系統（第２冷媒系統１２または第１冷媒系統１１）の室外機１３との通信を回復する（Ｓ１４）。
【００４０】
第１冷媒系統１１及び第２冷媒系統１２の室外機１３における制御装置１７の前記ＲＯＭ２８（図２）には、ＣＰＵ１９が実行する上述のステップＳ１〜Ｓ１４の動作手順が格納されている。
【００４１】
一方、図３に示すように、第１冷媒系統１１、第２冷媒系統１２の各室内機１４における制御装置３０は、制御基板３１にＣＰＵ３２、送受信回路３３及びＲＯＭ３４を有する。制御基板３１には更に、送受信回路３３とコネクタ３５とを接続する基板配線３６が形成され、この基板配線３６に検査用スイッチ３７が配設されている。
【００４２】
コネクタ３５は、端子板３８の端子３９及び第１通信線１５Ａまたは第２通信線１５Ｂを介して、自冷媒系統（第１冷媒系統１１または第２冷媒系統１２）の室外機１３または室内機１４に接続され、更に、端子板３８の端子４０及び第１通信線１５Ａまたは第２通信線１５Ｂを介して、自冷媒系統（第１冷媒系統１１または第２冷媒系統１２）の室外機１３または室内機１４に接続される。端子板３８の端子３９と４０は、この端子板３８内で電気的に接続されている。
【００４３】
上記検査用スイッチ３７は、第１冷媒系統１１または第２冷媒系統１２において、室内機１４の送受信回路３３同士の通信、室内機１４の送受信回路３３と室外機１３の送受信回路２０との通信を切断可能とするものである。
【００４４】
つまり、検査用スイッチ３７のＯＮ動作時には、基板配線３６が通電状態とされて、自冷媒系統（第１冷媒系統１１または第２冷媒系統１２）において、室内機１４の制御装置３０の送受信回路３３同士の通信、または室外機１３の制御装置１７の送受信回路２０と室内機１４の制御装置３０の送受信回路３３との通信が確保される。また、検査用スイッチ３７のＯＦＦ操作時には、基板配線３６が遮断状態とされて、自冷媒系統（第１冷媒系統１１または第２冷媒系統１２）において、室内機１４の制御装置３０の送受信回路３３同士の通信、または室外機１３の制御装置１７の送受信回路２０と室内機１４の制御装置３０の送受信回路３３との通信が切断される。
【００４５】
第１冷媒系統１１または第２冷媒系統１２の室内機１４における制御装置３０のＣＰＵ３２は、検査用スイッチ３７及び送受信回路３３を制御する。つまり、室内機１４の上記ＣＰＵ３２は、通信回線１５の通信異常発生時に検査用スイッチ３７をＯＦＦ操作して、自己の室内機１４の送受信回路３３の良否を判断する。
【００４６】
通信回線１５の通信異常時に、上記室内機１４のＣＰＵ３２が実行する上述の動作手順を、図５を用いて詳説する。
【００４７】
室内機１４の上記ＣＰＵ３２は、通信回線１５に発生した通信異常を検出した時に、制御装置３０に内蔵の図示しない回線異常タイマを動作させる（Ｓ２１）。
【００４８】
室内機１４の上記ＣＰＵ３２は、回線異常タイマが一定時間経過したか否かを判断し（Ｓ２２）、経過した時点で、室内機１４の制御装置３０における検査用スイッチ３７をＯＦＦ操作する（Ｓ２３）。これにより、自冷媒系統（第１冷媒系統１１または第２冷媒系統１２）の室外機１３、室内機１４との第１通信線１５Ａまたは第２通信線１５Ｂを介しての通信が切断される。
【００４９】
なお、室内機１４の上記ＣＰＵ３２は、ステップＳ２１において、通信回線１５に通信異常が検出されず、通信回線１５の通信が正常であると判断した段階で、上記回線異常タイマをクリアし、そのカウントを零に設定する（Ｓ２４）。
【００５０】
室内機１４の上記ＣＰＵ３２は、ステップＳ２３を実行した後に、自己の室内機１４の送受信回路３３を動作させて検査し（Ｓ２５）、この送受信回路３３が正常であるか否かを判断する（Ｓ２６）。
【００５１】
室内機１４の上記ＣＰＵ３２は、自己の室内機１４の送受信回路３３が異常であると判断した場合に、自己の室内機１４の送受信回路３３が異常である旨の警報を表示する（Ｓ２７）。
【００５２】
室内機１４の上記ＣＰＵ３２は、自己の室内機１４の送受信回路３３が正常であると判断した場合に、検査用スイッチ３７をＯＮ操作して、自己の冷媒系統（第１冷媒系統１１または第２冷媒系統１２）の室外機１３、室内機１４との通信を回復する（Ｓ２８）。
【００５３】
第１冷媒系統１１及び第２冷媒系統１２の室内機１４における制御装置３０の前記ＲＯＭ３４には、ＣＰＵ３２が実行する上述のステップＳ２１〜Ｓ２８の動作手順が格納されている。
【００５４】
上述のように構成されたことから、上記実施の形態は次の効果▲１▼及び▲２▼を奏する。
【００５５】
▲１▼室外機１３の制御装置１７におけるＣＰＵ１９は、通信回線１５に通信異常が発生した場合に、自己の室外機１３の送受信回路２０を、検査用スイッチ２９をＯＦＦ操作して第１通信線１５Ａ、第２通信線１５Ｂ及び第３通信線１５Ｃから切断し、この送受信回路２０における異常の有無をチェックし得るよう構成されている。また、室内機１４の制御装置３０におけるＣＰＵ３２は、通信回線１５に通信異常が発生した場合に、自己の室内機１４の送受信回路３３を、検査用スイッチ３７をOFF操作して第１通信線１５Ａまたは第２通信線１５Ｂから切断し、この送受信回路３３における異常の有無をチェックし得るよう構成されている。これらのことから、通信回線１５上において、室外機１３の不具合な送受信回路２０と、室内機１４の不具合な送受信回路３３とを迅速に発見できる。
【００５６】
▲２▼室外機１３の制御装置１７におけるＣＰＵ１９が、自己の室外機１３の送受信回路２０と、他の冷媒系統（第１冷媒系統１１または第２冷媒系統１２）における室外機１３の送受信回路２０との通信を切断可能な運転用スイッチ２７を備えたことから、通信回線１５に通信異常が発生した際に、運転用スイッチ２７をＯＦＦ操作して、自己の室外機１３の送受信回路２０と、他の冷媒系統（第１冷媒系統１１または第２冷媒系統１２）における室外機１３の送受信回路２０との通信を切断させる。この時、通信が正常に戻った場合には、切断された他の冷媒系統（第１冷媒系統１１または第２冷媒系統１２）側に通信異常が存在していると判断できるので、正常な自己の冷媒系統（第１冷媒系統１１または第２冷媒系統１２）の通信を継続して、この自己の冷媒系統（第１冷媒系統１１または第２冷媒系統１２）を継続して運転させることができる。
【００５７】
以上、本発明を上記実施の形態に基づいて説明したが、本発明はこれに限定されるものではない。
【００５８】
【発明の効果】
以上のように、本発明に係る空気調和システムによれば、複数の冷媒系統の室外機及び室内機からなる同一の通信回線に異常が発生した場合に、不具合な室外機、室内機を迅速に発見できる。
【００５９】
また、この本発明の空気調和システムによれば、複数の冷媒系統の室外機及び室内機からなる同一の通信回線に異常が発生した場合にも、正常な室外機、室内機の運転を継続できる。
【図面の簡単な説明】
【図１】本発明に係る空気調和システムの一実施の形態を示す系統図である。
【図２】図１の室外機の制御装置を概略して示す構成図である。
【図３】図１の室内機の制御装置を概略して示す構成図である。
【図４】図２の室外機の制御装置が実行する、通信異常発生時の動作手順を示すフローチャートである。
【図５】図３の室内機の制御装置が実行する、通信異常発生時の動作手順を示すフローチャートである。
【符号の説明】
１０  空気調和システム
１１  第１冷媒系統
１２  第２冷媒系統
１３  室外機
１４  室内機
１５  通信回線
１５Ａ  第１通信線
１５Ｂ  第２通信線
１５Ｃ  第３通信線
１７  室外機の制御装置
１９  制御装置のＣＰＵ
２０  送受信回路
２２  基板配線
２４  基板配線
２７  運転用スイッチ
２９  検査用スイッチ
３０  室内機の制御装置
３２  制御装置のＣＰＵ
３３  送受信回路
３６  基板配線
３７  検査用スイッチ
【図１】
0004169489.tif 000002
【図２】
0004169489.tif 000003
【図３】
0004169489.tif 000004
【図４】
0004169489.tif 000005
【図５】
0004169489.tif 000006